(57)【要約】【課題】  本発明は、ワイシャツなどの襟付きシャツの襟内側に装着し、特に夏場等におけるネクタイの「装着時に首元を締め付けるため暑い」という欠点を解決し、且つ外観上からもアクセントとなるネクタイを提供する。【解決手段】  上記課題を解決するために発明したネクタイは、ネクタイ着用時に首廻りとなる部分に形状保持部材を設けたことを特徴とする。【選択図】図１
2007247125.tif 000002
【特許請求の範囲】
【請求項１】
ネクタイ着用時に首廻りとなる部分に形状保持部材を設けたことを特徴とするネクタイ。
【請求項２】
前記形状保持部材は、弾性体であることを特徴とする、請求項１に記載のネクタイ。
【請求項３】
前記形状保持部材は、形状記憶素材であることを特徴とする、請求項１又は２に記載のネクタイ。
【請求項４】
前記形状保持部材は、帯状に模って組み立てた骨組みであることを特徴とする、請求項１〜３のいずれかに記載のネクタイ。
【請求項５】
ネクタイ装着用の帯留めを設けたことを特徴とする、請求項１〜４のいずれかに記載のネクタイ。
【請求項６】
ネクタイ装着補助用の連結帯を設けたことを特徴とする、請求項１〜５のいずれかに記載のネクタイ。
【請求項７】
ネクタイ装着用の連結紐と連結紐長さ調整用のコードストッパーを設けたことを特徴とする、請求項１〜６のいずれかに記載のネクタイ。
【請求項８】
シャツとネクタイのずれを防止するための、ずれ防止用紐を設けたことを特徴とする、請求項１〜７のいずれかに記載のネクタイ。
【請求項９】
飾り用チーフを設けたことを特徴とする、請求項１〜８のいずれかに記載のネクタイ。
【請求項１０】
長手方向の長さ調整部を設けたことを特徴とする、請求項１〜９のいずれかに記載のネクタイ。
【発明の詳細な説明】
【技術分野】
【０００１】  本発明は、ネクタイ着用時に首廻りとなる部分に形状保持部材を設けたことを特徴とするネクタイに関するものである。
【背景技術】
【０００２】  ネクタイの種類は、巾タイ、棒タイ（蝶タイ）、アスコットタイの３種類が一般的に知られており、襟付きシャツ着用時に首や胸の飾りとして用いられている。
巾タイは、最も広く一般的に使われているもので、ワイシャツなどの襟の下に巻き、結び目を作った後に襟元を締めるようにして用いる。
棒タイ（蝶タイ）は、ワイシャツやウイングカラーシャツなどの襟に巻き、蝶結びをして用いる。
アスコットタイは、ウイングカラーシャツの襟に巻いて用いるほか、襟付きシャツの襟内側で首廻りに直接巻きつけて用いる。
上記いずれのネクタイも、首もとに締めるように用いるものである。【０００３】  一方、ワイシャツにネクタイ（巾タイ）を着用した服装は、ビジネスの場でスタンダードな服装として用いられているが、特に夏場等は、ネクタイを着用すると首元が締まり、首廻りが暑く不快を感じる。
このため、２００５年６月から開始されたクールビズ運動では、夏場のネクタイ不要論が論じられている。
しかしながら、ネクタイを装着しないワイシャツ姿は、襟元が安定せずだらしなく見えたり、アクセントに欠け地味に見えたりする。
また、必要なときにだけすぐに装着できるように着脱方法を簡易にしたネクタイはあるが、首廻りにシャツと肌の間の空間を確保して装着することが可能なネクタイはない。【０００４】  首廻りを飾るものとしてネクタイの他に、スカーフやネックレス、チョーカー等があるが、いずれも首廻りに密着するものか、シャツの襟が首に密着するのを防ぐ機能は有していないものである。
また、シャツの襟形状を保つためにカラーサポーターがあるが、襟の折り返し内部に装着するものなどで、外観上目立たなくアクセントに欠ける。
【発明の開示】
【発明が解決しようとする課題】
【０００５】  本発明は、ワイシャツなどの襟付きシャツの襟内側に装着し、特に夏場等におけるネクタイの「装着時に首元を締め付けるため暑い」という欠点を解決し、且つ外観上からもアクセントとなるネクタイを提供することである。
尚、本発明は外観上及び機能上からネクタイの他に、スカーフやカラーサポーターとも呼べるものであるが、本書ではネクタイと称することとする。
【課題を解決するための手段】
【０００６】  上記課題を解決するために発明した請求項１に記載のネクタイは、ネクタイ着用時に首廻りとなる部分に形状保持部材を設けたことを特徴とするネクタイである。【０００７】  請求項２に記載のネクタイは、前記形状保持部材は、弾性体であることを特徴とする、請求項１に記載のネクタイである。【０００８】  請求項３に記載のネクタイは、前記形状保持部材は、形状記憶素材であることを特徴とする、請求項１又は２に記載のネクタイである。【０００９】  請求項４に記載のネクタイは、前記形状保持部材は、帯状に模って組み立てた骨組みであることを特徴とする、請求項１〜３のいずれかに記載のネクタイである。【００１０】  請求項５に記載のネクタイは、ネクタイ装着用の帯留めを設けたことを特徴とする、請求項１〜４のいずれかに記載のネクタイである。【００１１】  請求項６に記載のネクタイは、ネクタイ装着補助用の連結帯を設けたことを特徴とする、請求項１〜５のいずれかに記載のネクタイである。【００１２】  請求項７に記載のネクタイは、ネクタイ装着用の連結紐と連結紐長さ調整用のコードストッパーを設けたことを特徴とする、請求項１〜６のいずれかに記載のネクタイである。【００１３】  請求項８に記載のネクタイは、シャツとネクタイのずれを防止するための、ずれ防止用紐を設けたことを特徴とする、請求項１〜７のいずれかに記載のネクタイである。【００１４】  請求項９に記載のネクタイは、飾り用チーフを設けたことを特徴とする、請求項１〜８のいずれかに記載のネクタイである。【００１５】  請求項１０に記載のネクタイは、長手方向の長さ調整部を設けたことを特徴とする、請求項１〜９のいずれかに記載のネクタイである。
【発明の効果】
【００１６】  本発明によれば、ネクタイをワイシャツなどの襟付きシャツの襟内側に装着した場合、形状保持部材により首廻りのネクタイ形状が保持され、首廻りにシャツと肌の間の空間を確保して装着することが可能となる。
また、ワイシャツの襟が内側に倒れ込むのを防ぐカラーサポーターの役割をする。
さらに、襟が開いた部分からネクタイが見えるため、外観上からもアクセントとなる。【００１７】  形状保持部材が弾性体である場合は、装着時に首廻りの輪となる部分に外方向に力が働き、首廻りのネクタイ形状が保持される。【００１８】  さらに、形状保持部材が形状記憶素材である場合は、素材の性質により首廻りのネクタイ形状が保持される。【００１９】  さらに、ネクタイ本体（布部）を筒状とし、形状保持部材を帯状に模って組み立てた骨組みとすることにより、ネクタイ本体（布部）を着せ替えタイプとすることができる。【００２０】  さらに、帯留めを設けることにより、ネクタイを帯留めで留めることで装着可能となり、結ぶ手間を省いたネクタイとすることができる。【００２１】  さらに、連結帯を設けることにより、ネクタイ装着時に連結帯で首廻りに一旦固定することができ、ネクタイを結ぶ作業や帯留めを留める作業の補助となる。【００２２】  さらに、連結紐とコードストッパーを設けることにより、ネクタイ装着時にコードストッパーをずらすことで、容易に装着できるネクタイとすることができる。【００２３】  さらに、シャツとネクタイのずれを防止するための、ずれ防止用紐を設けることにより、ネクタイがずれるのを防ぐことができる。【００２４】  さらに、飾り用チーフを設けることにより、シャツのボタンを多くあけたスタイルで装着できるようなネクタイとすることができる。【００２５】  さらに、長手方向の長さ調整部を設けることにより、首廻りサイズに合わせた長さ調整や余長となる部分の長さ調整をすることができる。
【発明を実施するための最良の形態】
【００２６】  本発明の最良の形態を図１〜３に示す。
図１に示すよう、ネクタイ本体１ａの、ネクタイ着用時に首廻りとなる部分に、ファスナ４ａを備えた板バネ用ポケット３ａを設け、そのポケットに板バネ２ａを挿入したものである。
装着方法は、アスコットタイやスカーフを首廻りに締めるのと同様に結び装着する。
組立てた状態の斜視図が図２であり、ワイシャツ着用時に装着した場合の斜視図が図３である。
【実施例】
【００２７】  本発明の第１の実施例を図４〜７に示す。
本実施例は、形状保持部材に弾性体である板バネ２ｂおよび板バネ２ｃを用いたネクタイ本体１ｂと、ずれ防止用ゴム紐７ａを備えた帯留め５ａ、連結帯６ａで構成する例である。
ネクタイ本体１ｂは、図４及び図５に示すよう、ネクタイ着用時に首廻りとなる部分の、長手方向の上下の２箇所に板バネ挿入口４ｂを備えた板バネ用ポケット３ｂを設け、そのポケット３ｂに板バネ２ｂを挿入する。
さらに、長手方向に対して直角方向の２箇所に、板バネ挿入口４ｃを備えた板バネ用ポケット３ｃを設け、そのポケット３ｃに板バネ２ｃを挿入する。
さらに、連結帯６ａ用の連結輪６ｄを２箇所と帯留め５ａ用の連結輪５ｃを１箇所に備える。
連結輪５ｃと帯留め５ａは紐５ｂを用いてつなぐ。
さらに、帯留め５ａには、シャツとネクタイのずれ防止用ゴム紐７ａを備える。
連結帯６ａは図６に示すよう、連結具６ｂと長さ調整具６ｃを備えたものとする。
装着方法は以下の通りである。
ネクタイ本体１ｂを首に巻き、ネクタイ本体１ｂに備えた連結輪６ｄに、連結帯６ａに備えた連結具６ｂを嵌め込む。
その後、ネクタイ本体１ｂの両端を帯留め５ａでとめる。
さらにシャツとネクタイのずれ防止用ゴム紐７ａをシャツのボタンに掛けて固定する。
組立てた状態の斜視図が図７である。
本実施例においては形状保持部材に弾性体の板バネを用いているが、他の弾性体や形状記憶素材、両特性を有した材料等を使用することができる。
本発明で用いる弾性体の代表的なものは、バネ鋼や弾性合金でできた板バネ、ワイヤーである。また、軟質プラスチック類等も使用できる。
本発明で用いる形状記憶素材の代表的なものは、形状記憶合金でできた形状記憶板、形状記憶ワイヤーである。
本実施例においては形状保持部材をポケットに入れて固定しているが、糸等で直接本体に固定する方法やアイロンテープで貼り付ける方法等がある。【００２８】  本発明の第２の実施例を図８〜１１に示す。
本実施例は、ネクタイ本体１ｃと、ワイヤー１０ａ、１０ｂを用いたワイヤー骨組み、連結紐８ａで構成する例である。
ネクタイ本体１ｃは、図９に示すよう筒形状で、ワイヤー骨組みとの固定用に筒内面の２箇所にそれぞれホック雄９ａ及びホック雌９ｂを対で設ける。
ワイヤー骨組みは、図８に示すようワイヤー１０ａ、１０ｂとワイヤー止め１１ａ、Ｔ継手１１ｂを用いて帯状に組み立て、その両端に連結リング１１ｃを備える。
連結紐８ａは、図１０に示すよう長さ調整用のコードストッパー８ｄを設け、紐の両端に連結具８ｃを紐止め８ｂを用いて取り付ける。
ワイヤー骨組みにネクタイ本体１ｃを被せ、ホック雄９ａ及びホック雌９ｂを嵌め込み固定する。その後、連結紐８ａの連結具８ｃをワイヤー骨組みの連結リング１１ｃにネクタイ本体１ｃの両端を捲りながらつなぐ。
装着方法は次の通りである。
コードストッパー８ｄを動かし、連結紐８ａの長さを最長にする。
ネクタイ本体１ｃと連結紐８ａでつながった輪を、頭から通し首の位置まで下ろす。
コードストッパー８ｄを動かし、連結紐８ａの長さを調整して装着する。
組立てた状態の斜視図が図１１である。【００２９】  本発明の第３の実施例を図１２〜１６に示す。
本実施例は、形状保持部材に弾性体であるワイヤー１０ｃを用いたネクタイ本体１ｄと、ずれ防止用ゴム紐７ｂを備えた連結紐８ｅで構成する例である。
ネクタイ本体１ｄは、図１２及び図１３に示すよう、長手方向の上下の２箇所に、ワイヤー挿入口４ｄを備えたワイヤー用ポケット３ｄを設け、そのポケット３ｄのそれぞれにワイヤー１０ｃを挿入する。
さらに、ワイヤー挿入口４ｄには挿入口カバー１２ａを設け、面ファスナ雄１３ａと面ファスナ雌１３ｂで固定できるようにする。
さらに、長さ調整部として、本体両端に一箇所ずつフック１４ａを備え、本体両端を折り返した先にフック掛け１４ｂを複数備える。
連結紐８ｅには、図１４に示すよう、コードストッパー８ｄとずれ防止用ゴム紐７ｂを備える。
装着方法は次の通りである。
ネクタイ本体１ｄの両端折り返し部で連結紐８ｅを挟むように折り返し、首の太さに合わせたフック掛け１４ｂにフック１４ａを固定する。
コードストッパー８ｄを動かし、連結紐８ｅの長さを最長にする。
ネクタイ本体１ｄと連結紐８ｅでつながった輪を、頭から通し首の位置まで下ろす。
コードストッパー８ｄを動かし、連結紐８ｅの長さを調整して装着する。
連結紐８ｅに備えたずれ防正用ゴム紐７ｂを、シャツのボタンにかけて固定する。
組立てた状態の斜視図が図１５であり、ワイシャツ着用時に装着した場合の斜視図が図１６である。
本実施例においては長手方向の長さ調整部としてフック掛けを複数設けているが、ボタンやホックを複数設ける方法や、面ファスナーやアジャスター等を設ける方法で長さ調整部とすることもできる。【００３０】  本発明の第４の実施例は、第３の実施例に飾りチーフ１５ａを設けた例である。
飾りチーフ１５ａには、図１７〜１８に示すよう、ホック雄９ａとホック雌９ｂ、ずれ防止用ゴム紐７ｃを備える。
装着方法は、第３の実施例に示すように装着した後に、連結紐８ｅの上部側に飾りチーフ１５ａをホック雄９ａとホック雌９ｂで取り付ける。
シャツのボタンにかけるずれ防止用ゴム紐を連結紐８ｅに備えたゴム紐７ｂから飾りチーフ１５ａに備えたゴム紐７ｃに変更する。
組立てた状態の斜視図が図１９であり、ワイシャツ着用時に装着した場合の斜視図が図２０である。
本実施例においては、飾りチーフにホックを設けたが、ボタンやフック、面ファスナー等とすることができる。【００３１】  本発明の第５の実施例を図２１〜２３に示す。
本実施例は、ネクタイ本体１ｅと、形状記憶ワイヤー１０ｄとワイヤー１０ｅを用いた骨組み、連結紐８ａ、ずれ防止用ゴム紐７ａを備えた帯留め５ａ、連結帯６ａで構成する例である。
ネクタイ本体１ｅは、図２１に示すよう筒形状で、長手方向の長さ調整および形状記憶ワイヤー１０ｄとワイヤー１０ｃを用いた骨組みとの固定用に、筒内面にホック雄９ａ及びホック雌９ｂを対で複数設ける。
また、連結リング８ｆを２箇所と帯留め用連結輪５ｃを１箇所に備える。
連結輪５ｃと帯留め５ａは紐５ｂを用いてつなぐ。
さらに、帯留め５ａには、シャツとネクタイのずれ防止用ゴム紐７ａを備える。
形状記憶ワイヤー１０ｄとワイヤー１０ｅを用いた骨組みは図２２に示すよう、帯状にしたものを首廻りに装着した状態に合わせて曲げたような形状で記憶された形状記憶ワイヤー１０ｄに、補助用にワイヤー１０ｅを長手方向に対して直角に数本ろう付けしたものである。
連結紐８ａは、第２の実施例で示したものと同様に図１０に示すもので、コードストッパー８ｄを設け、紐の両端に連結具８ｃを紐止め８ｂでつないだものである。
連結帯６ａは、第１の実施例で示したものと同様に図６に示すもので、連結具６ｂと長さ調整具６ｃを備えたものとする。
装着方法は以下の通りである。
形状記憶ワイヤー１０ｄとワイヤー１０ｅを用いた骨組みに、ネクタイ本体１ｅを被せ、装着時の長さを考慮し、複数備えたホック雄９ａ及びホック雌９ｂのうちの適当なものを嵌め込み固定する。
その後、連結紐８ａの連結具８ｃを連結リング８ｆにつなぐ。
コードストッパー８ｄを動かし、連結紐８ａの長さを最長にする。
ネクタイ本体１ｅと連結紐８ａでつながった輪を、頭から通し首の位置まで下ろす。
コードストッパー８ｄを動かし、連結紐８ａの長さを調整する。
ネクタイ本体１ｅの連結リング８ｆに連結帯６ａの連結具６ｂを嵌め込む。
その後、ネクタイ本体１ｅの両端を帯留め５ａでとめる。
さらに、ずれ防止用ゴム紐７ａをシャツのボタンに掛けて固定する。
組立てた状態の斜視図が図２３である。【００３２】  本発明の第６の実施例は、第５の実施例に飾りチーフ１５ａを設けた例である。
飾りチーフ１５ａは、第４の実施例で示したものと同様で図１７〜１８に示すよう、ホック雄９ａとホック雌９ｂ、ずれ防止用ゴム紐７ｃを備える。
装着方法は、第５の実施例に示すように装着した後に、連結帯６ａに飾りチーフ１５ａをホック雄９ａとホック雌９ｂで取り付ける。
シャツのボタンにかけるずれ防止用ゴム紐を帯留め５ａに備えたゴム紐７ａから飾りチーフ１５ａに備えたゴム紐７ｃに変更する。
組立てた状態の斜視図が図２４である。
【図面の簡単な説明】
【００３３】
【図１】本発明を実施するための最良の形態のネクタイ本体１ａを示す正面図である。
【図２】本発明を実施するための最良の形態を組立てた状態の斜視図である。
【図３】本発明を実施するための最良の形態をワイシャツ着用時に装着した場合の斜視図である。
【図４】本発明の第１の実施例のネクタイ本体１ｂを示す正面図である。
【図５】図４のＡ部の詳細図である。
【図６】本発明の第１、第５、第６の実施例の連結帯６ａを示す斜視図である。
【図７】本発明の第１の実施例を組立てた状態の斜視図である。
【図８】本発明の第２の実施例のワイヤー骨組みを示す正面図である。
【図９】本発明の第２の実施例のネクタイ本体１ｃを示す斜視図である。
【図１０】本発明の第２、第５、第６の実施例の連結紐８ａを示す斜視図である。
【図１１】本発明の第２の実施例を組立てた状態の斜視図である。
【図１２】本発明の第３、第４の実施例のネクタイ本体１ｄを示す正面図である。
【図１３】図１２のＢ部の詳細図である。
【図１４】本発明の第３、第４の実施例の連結紐８ｅを示す斜視図である。
【図１５】本発明の第３の実施例を組立てた状態の斜視図である。
【図１６】本発明の第３の実施例をワイシャツ着用時に装着した場合の斜視図である。
【図１７】本発明の第４、第６の実施例の飾りチーフ１５ａを示す正面図である。
【図１８】本発明の第４、第６の実施例の飾りチーフ１５ａを示す背面図である。
【図１９】本発明の第４の実施例を組立てた状態の斜視図である。
【図２０】本発明の第４の実施例をワイシャツ着用時に装着した場合の斜視図である。
【図２１】本発明の第５、第６の実施例のネクタイ本体１ｅを示す斜視図である。
【図２２】本発明の第５、第６の実施例のワイヤー骨組みを示す斜視図である。
【図２３】本発明の第５の実施例を組立てた状態の斜視図である。
【図２４】本発明の第６の実施例を組立てた状態の斜視図である。
【符号の説明】
【００３４】１ａ  ネクタイ本体（本発明を実施するための最良の形態）
１ｂ  ネクタイ本体（第１の実施例）
１ｃ  ネクタイ本体（第２の実施例）
１ｄ  ネクタイ本体（第３、第４の実施例）
１ｅ  ネクタイ本体（第５、第６の実施例）
２ａ  板バネ
２ｂ  板バネ（長手方向）
２ｃ  板バネ（直角方向）
３ａ  ポケット（板バネ用）
３ｂ  ポケット（板バネ用長手方向）
３ｃ  ポケット（板バネ用直角方向）
３ｄ  ポケット（ワイヤー用長手方向）
４ａ  ファスナ
４ｂ  板バネ挿入口（長手方向）
４ｃ  板バネ挿入口（直角方向）
４ｄ  ワイヤー挿入口（長手方向）
５ａ  帯留め
５ｂ  紐
５ｃ  連結輪
６ａ  連結帯
６ｂ  連結具
６ｃ  長さ調整具
６ｄ  連結輪
７ａ  ずれ防止用ゴム紐（帯留め用）
７ｂ  ずれ防止用ゴム紐（連結紐用）
７ｃ  ずれ防止用ゴム紐（飾りチーフ用）
８ａ  連結紐
８ｂ  紐止め
８ｃ  連結具
８ｄ  コードストッパー
８ｅ  連結紐
８ｆ  連結リング
９ａ  ホック雌
９ｂ  ホック雌
１０ａ  ワイヤー（外周）
１０ｂ  ワイヤー（直角方向）
１０ｃ  ワイヤー（長手方向）
１０ｄ  形状記憶ワイヤー（外周）
１０ｅ  ワイヤー（直角方向）
１１ａ  ワイヤー止め
１１ｂ  Ｔ継手
１１ｃ  連結リング
１２ａ  挿入口カバー
１３ａ  面ファスナ雄
１３ｂ  面ファスナ雌
１４ａ  フック
１４ｂ  フック掛け
１５ａ  飾りチーフ
【図１】
2007247125.tif 000003
【図２】
2007247125.tif 000004
【図３】
2007247125.tif 000005
【図４】
2007247125.tif 000006
【図５】
2007247125.tif 000007
【図６】
2007247125.tif 000008
【図７】
2007247125.tif 000009
【図８】
2007247125.tif 000010
【図９】
2007247125.tif 000011
【図１０】
2007247125.tif 000012
【図１１】
2007247125.tif 000013
【図１２】
2007247125.tif 000014
【図１３】
2007247125.tif 000015
【図１４】
2007247125.tif 000016
【図１５】
2007247125.tif 000017
【図１６】
2007247125.tif 000018
【図１７】
2007247125.tif 000019
【図１８】
2007247125.tif 000020
【図１９】
2007247125.tif 000021
【図２０】
2007247125.tif 000022
【図２１】
2007247125.tif 000023
【図２２】
2007247125.tif 000024
【図２３】
2007247125.tif 000025
【図２４】
2007247125.tif 000026